(57)【要約】【課題】無線送信をするための適切な時間および送信周波数チャネルを設定することを目的とする。【解決手段】特定小電力無線装置１０は、現時点から遡った所定の監視時間内での送信時間の積算値に基づいて、使用する周波数チャネル、およびキャリアセンスにおける信号検出時間を設定する。無線信号を送信する送信部１４と、過去に遡った所定時間内における送信時間の積算値を求める送信時間積算部１８と、積算値に基づいて、無線信号を検出する検出周波数チャネルを設定するチャネル設定部２０と、検出周波数チャネルにおける無線信号を検出するキャリアセンス部２２とを備え、キャリアセンス部２２は、積算値に応じた時間に亘って無線信号の検出を行い、送信部１４は、キャリアセンス部２２によって無線信号が検出されなかった場合に、検出周波数チャネルにおける無線信号を送信する。【選択図】図１
2015119327.tif 000002
【特許請求の範囲】
【請求項１】
無線信号を送信する送信部と、
過去に遡った所定時間内における送信時間の積算値を求める送信時間積算部と、
前記積算値に基づいて周波数チャネルを設定するチャネル設定部と、を備え、
前記送信部は、
前記チャネル設定部によって設定された設定周波数チャネルに対応する制限時間の下で、当該設定周波数チャネルにおける無線信号を送信し、無線信号を送信した後、前記設定周波数チャネルに対応する時間だけ無線信号の送信を休止することを特徴とする無線送信装置。
【請求項２】
請求項１に記載の無線送信装置において、
前記チャネル設定部は、
前記積算値の大きさの傾向が異なる複数の周波数チャネルのうちいずれかを前記設定周波数チャネルとして設定することを特徴とする無線送信装置。
【請求項３】
請求項２に記載の無線送信装置において、
前記チャネル設定部は、前記設定周波数チャネルにおける無線信号が他の無線装置に用いられていない場合には、前記積算値が大きい傾向にある周波数チャネルと、前記積算値が小さい傾向にある周波数チャネルと、を前記設定周波数チャネルとして交互に設定することを特徴とする無線送信装置。
【請求項４】
請求項１または請求項２に記載の無線送信装置において、
前記設定周波数チャネルにおける無線信号を検出するキャリアセンス部を備え、
前記キャリアセンス部は、
前記設定周波数チャネルに対応する時間に亘って無線信号の検出を行い、
前記送信部は、
前記キャリアセンス部によって無線信号が検出されなかった場合に、前記設定周波数チャネルにおける無線信号を送信することを特徴とする無線送信装置。
【請求項５】
請求項４に記載の無線送信装置において、
前記チャネル設定部は、
前記キャリアセンス部によって無線信号が検出された場合に、前記設定周波数チャネルとして設定する周波数を変更することを特徴とする無線送信装置。
【請求項６】
請求項４または請求項５に記載の無線送信装置において、
前記送信時間積算部は、過去に遡って３６００秒以内における送信時間の総和を前記積算値として求め、
前記キャリアセンス部は、前記積算値が３５９．８秒以下である場合には、１２８マイクロ秒以上５ミリ秒未満の時間に亘って無線信号の検出を行い、前記積算値が３５９．８秒を超える場合には、５ミリ秒以上の時間に亘って無線信号の検出を行うことを特徴とする無線送信装置。
【発明の詳細な説明】
【技術分野】
【０００１】
本発明は、無線送信装置に関し、特に、送信周波数および送信時間に制限が設けられた装置に関する。
【背景技術】
【０００２】
特定小電力無線装置が広く用いられている。特定小電力無線装置は、送信周波数、送信時間等が制限されるという条件の下、免許を得ることなく使用することができる。近年、特定小電力無線装置は、無線通信によって計測器からデータを収集するテレメータ、無線通信によって装置を制御するテレコントロール等に広く用いられている。
【０００３】
以下の特許文献１には、特定小電力無線装置が記載されている。この無線装置は、２つの無線ユニットを切り換えて用いることで、各無線ユニットについて定められた送信時間を超える時間長のデータを送信する。また、非特許文献１には、特定小電力無線装置についての標準規格ＡＲＩＢ  ＳＴＤ−Ｔ１０８が記載されている。
【先行技術文献】
【特許文献】
【０００４】
【特許文献１】特開平６−６２７９号公報
【非特許文献】
【０００５】
【非特許文献１】http://www.arib.or.jp/english/html/overview/doc/1-STD-T108v1_0.pdf
【発明の概要】
【発明が解決しようとする課題】
【０００６】
一般に、複数の無線装置が用いられるシステムでは、各無線装置でキャリアセンスが行われる。キャリアセンスとは、特定の周波数チャネルにおいて無線信号を検出することにより、その周波数チャネルが他の無線装置で用いられていないかを判定する処理をいう。キャリアセンスによって、特定の周波数チャネルが他の無線装置で用いられていないと判定された場合に、その周波数チャネルにおいて無線信号を送信することができる。キャリアセンスにおいて無線信号を検出する時間が長い程、他の無線装置にその周波数チャネルを用いる時間を長く与えていることになり、自らの送信周波数および送信時間が制限される。また、各周波数チャネルに対しては、継続して送信を行うことができる時間や、送信を行った後に再び送信を行うまでに設けるべき休止時間が定められている。送信時間が短く、休止時間が長い程、他の無線装置に送信時間を長く与えていることになり、自らの送信時間が制限される。
【０００７】
本発明は、無線送信をするための適切な時間および送信周波数チャネルを設定することを目的とする。
【課題を解決するための手段】
【０００８】
本発明は、無線信号を送信する送信部と、過去に遡った所定時間内における送信時間の積算値を求める送信時間積算部と、前記積算値に基づいて周波数チャネルを設定するチャネル設定部と、を備え、前記送信部は、前記チャネル設定部によって設定された設定周波数チャネルに対応する制限時間の下で、当該設定周波数チャネルにおける無線信号を送信し、無線信号を送信した後、前記設定周波数チャネルに対応する時間だけ無線信号の送信を休止することを特徴とする。
【０００９】
また、本発明に係る無線送信装置は、望ましくは、前記チャネル設定部は、前記積算値の大きさの傾向が異なる複数の周波数チャネルのうちいずれかを前記設定周波数チャネルとして設定する。
【００１０】
また、本発明に係る無線送信装置は、望ましくは、前記チャネル設定部は、前記設定周波数チャネルにおける無線信号が他の無線装置に用いられていない場合には、前記積算値が大きい傾向にある周波数チャネルと、前記積算値が小さい傾向にある周波数チャネルと、を前記設定周波数チャネルとして交互に設定する。
【００１１】
また、本発明に係る無線送信装置は、望ましくは、前記設定周波数チャネルにおける無線信号を検出するキャリアセンス部を備え、前記キャリアセンス部は、前記設定周波数チャネルに対応する時間に亘って無線信号の検出を行い、前記送信部は、前記キャリアセンス部によって無線信号が検出されなかった場合に、前記設定周波数チャネルにおける無線信号を送信する。
【００１２】
また、本発明に係る無線送信装置は、望ましくは、前記チャネル設定部は、前記キャリアセンス部によって無線信号が検出された場合に、前記設定周波数チャネルとして設定する周波数を変更する。
【００１３】
また、本発明に係る無線送信装置は、望ましくは、前記送信時間積算部は、過去に遡って３６００秒以内における送信時間の総和を積算値として求め、前記キャリアセンス部は、前記積算値が３５９．８秒以下である場合には、１２８マイクロ秒以上５ミリ秒未満の時間に亘って無線信号の検出を行い、前記積算値が３５９．８秒を超える場合には、５ミリ秒以上の時間に亘って無線信号の検出を行う。
【発明の効果】
【００１４】
本発明によれば、無線送信をするための適切な時間および送信周波数チャネルを設定することができる。
【図面の簡単な説明】
【００１５】
【図１】本発明の実施形態に係る特定小電力無線装置を示す図である。
【図２】送信処理を示すフローチャートである。
【図３】特定小電力無線装置で送信および受信されるパケットを示す図である。
【発明を実施するための形態】
【００１６】
図１には、本発明の実施形態に係る特定小電力無線装置１０が記載されている。この特定小電力無線装置１０は、現時点から遡った所定の監視時間内での送信時間の積算値に基づいて、使用する周波数チャネル、およびキャリアセンスにおける信号検出時間を設定する。
【００１７】
特定小電力無線装置１０は、アンテナ１２、受信部２４、送信部１４および制御部１６を備える。受信部２４は、制御部１６の制御に従い、アンテナ１２を介して信号を受信し、受信された信号を増幅して制御部１６に出力する。制御部１６は、受信部２４から出力された受信信号の復調処理を行い、受信信号から情報を取得する。送信部１４は、制御部１６による制御に従い、制御部１６から出力された送信信号を増幅してアンテナ１２から送信する。
【００１８】
制御部１６は、送信時間積算部１８、チャネル設定部２０、およびキャリアセンス部２２を備える。制御部１６は、例えばプロセッサによって構成され、予め記憶されたプログラムの実行によってこれらの各要素を構成する。
【００１９】
送信時間積算部１８は、現時点から遡って監視時間ＴＡ内において、送信部１４から信号が送信された時間の総和を積算値Ｔｘとして求める。例えば、現時点から遡って監視時間ＴＡ前までの間に、時間長がそれぞれｔ１、ｔ２、ｔ３、・・・、およびｔｎの送信を送信部１４が行ったときは、積算値Ｔｘはｔ１＋ｔ２＋・・・・＋ｔｎとなる。
【００２０】
チャネル設定部２０は、送信部１４および受信部２４に対し、周波数チャネルを設定する。送信部１４は、チャネル設定部２０によって設定された周波数チャネルの信号を送信し、受信部２４は、チャネル設定部２０によって設定された周波数チャネルの信号を受信する。
【００２１】
キャリアセンス部２２は、受信信号を信号検出時間に亘って検出するキャリアセンスを行う。キャリアセンス部２２は、積算値Ｔｘが閾値時間ＴＨ以下の場合には、短時間キャリアセンスを行い、積算値Ｔｘが閾値時間ＴＨを超える場合には、長時間キャリアセンスを行う。ここで、短時間キャリアセンスにおける信号検出時間ｔＳは、長時間キャリアセンスにおける信号検出時間ｔＬよりも短い。キャリアセンス部２２は、受信信号の大きさが所定の閾値を超えたときは無線信号が検出されたとの判定をし、受信信号の大きさが所定の閾値を超えなかったときは無線信号が検出されていないとの判定をする。
【００２２】
特定小電力無線装置１０が実行する送信処理について説明する。この送信処理は、現時点から遡って監視時間ＴＡ内での送信時間の積算値Ｔｘに応じて、使用する周波数チャネル、およびキャリアセンスにおける信号検出時間を設定する処理である。
【００２３】
図２には送信処理を示すフローチャートが示されている。制御部１６は、現時点から遡って監視時間ＴＡ前までの送信時間の積算値Ｔｘが閾値時間ＴＨ以下であるか否かを判定する（Ｓ１０１）。そして、積算値Ｔｘが閾値時間ＴＨ以下であるときは、受信部２４の周波数チャネルＣＨを周波数チャネルＡ１に設定する（Ｓ１０２）。制御部１６は、周波数チャネルＡ１において短時間キャリアセンスを行う（Ｓ１０３）。制御部１６は、受信信号の大きさが所定の閾値を超えたときは、周波数チャネルＡ１において無線信号が検出されたとの判定をし、受信信号の大きさが所定の閾値を超えなかったときは、周波数チャネルＡ１において無線信号が検出されていないとの判定をする（Ｓ１０４）。
【００２４】
ＡＲＩＢ  ＳＴＤ−Ｔ１０８に従う場合、監視時間ＴＡは３６００ｓであり、閾値時間ＴＨは、３５９．８ｓである。また、信号検出時間ｔＳは、１２８μｓ以上５ｍｓ未満の時間である。周波数チャネルＡ１は、単位チャネル番号が３３から６１までの周波数チャネル（中心周波数が９２２．４ＭＨｚ以上、９２８．０ＭＨｚ以下の周波数チャネル）である。
【００２５】
制御部１６は、無線信号が検出されていないとの判定をしたときは、周波数チャネルＡ１において信号を送信する（Ｓ１１６）。具体的には、送信部１４の周波数チャネルＣＨをＡ１に設定し、周波数チャネルＡ１における信号を送信部１４に送信させる。ステップＳ１１６の送信については、ＡＲＩＢ  ＳＴＤ−Ｔ１０８において次のように規定されている。すなわち、無線信号を送信してから４００ｍｓ以内にその送信を停止し、無線信号を送信した時間が２００ｍｓを超えた場合には、その送信時間の１０倍の時間を経過した後でなければその後の無線送信を行ってはならないと規定されている。また、送信時間が６ｍｓを超え２００ｍｓ以下である場合には、２ｍｓを経過した後でなければその後の無線送信を行ってはならないと規定されている。制御部１６は、ＡＲＩＢ  ＳＴＤ−Ｔ１０８に従う時間ＴＰ１（送信時間の１０倍または２ｍｓ）だけ送信を休止し（Ｓ１１７）、ステップＳ１０１の処理に戻る。次のステップＳ１０１の処理では、積算値Ｔｘとして、先のステップＳ１１６による送信時間が加算された値が新たに求められる。
【００２６】
制御部１６は、ステップＳ１０４において、無線信号が検出されたとの判定をしたときは、受信部２４の周波数チャネルＣＨを周波数チャネルＡ２に設定する（Ｓ１０５）。制御部１６は、周波数チャネルＡ２において短時間キャリアセンスを行う（Ｓ１０６）。制御部１６は、受信信号の大きさが所定の閾値を超えたときは、周波数チャネルＡ２において無線信号が検出されたとの判定をし、受信信号の大きさが所定の閾値を超えなかったときは、周波数チャネルＡ２において無線信号が検出されていないとの判定をする（Ｓ１０７）。制御部１６は、無線信号が検出されていないとの判定をしたときは、周波数チャネルＡ２において信号を送信し（Ｓ１１６）、時間ＴＰ１だけ送信を休止した後（Ｓ１１７）、ステップＳ１０１の処理に戻る。ここで、ＡＲＩＢ  ＳＴＤ−Ｔ１０８に従う場合、周波数チャネルＡ２は、単位チャネル番号が３３から６１までの周波数チャネルである。次のステップＳ１０１の処理では、積算値Ｔｘとして、先のステップＳ１１６による送信時間が加算された値が新たに求められる。
【００２７】
このように、ステップＳ１０１〜Ｓ１０７、Ｓ１１６およびＳ１１７の処理によれば、現時点から遡って監視時間ＴＡ内での送信時間の積算値Ｔｘが閾値時間ＴＨ以下であるときは短時間キャリアセンスが実行される。そして、短時間キャリアセンスの対象となった周波数チャネルにおいて無線信号が検出されなかったときは、その短時間キャリアセンス・周波数チャネルにおいて信号の送信が行われる。短時間キャリアセンス・周波数チャネルにおける送信は、積算値Ｔｘが閾値時間ＴＨ以下であり、短時間キャリアセンス・周波数チャネルにおいて無線信号が検出されていない間、行われる（Ｓ１０１〜Ｓ１０７、Ｓ１１６およびＳ１１７）。
【００２８】
次に、ステップＳ１０１において積算値Ｔｘが閾値時間ＴＨを超えたとき、または、ステップＳ１０７において無線信号が検出されたとの判定がされたときの処理について説明する。
【００２９】
制御部１６は、受信部２４の周波数チャネルＣＨを周波数チャネルＡ３に設定する（Ｓ１０８）。制御部１６は、周波数チャネルＡ３において長時間キャリアセンスを行う（Ｓ１０９）。制御部１６は、受信信号の大きさが所定の閾値を超えたときは、周波数チャネルＡ３において無線信号が検出されたとの判定をし、受信信号の大きさが所定の閾値を超えなかったときは、周波数チャネルＡ３において無線信号が検出されていないとの判定をする（Ｓ１１０）。
【００３０】
ＡＲＩＢ  ＳＴＤ−Ｔ１０８に従う場合、信号検出時間ｔＬは、５ｍｓ以上の時間である。周波数チャネルＡ３は、単位チャネル番号が２４から３８までの周波数チャネル（中心周波数が９２０．６ＭＨｚ以上、９２３．４ＭＨｚ以下の周波数チャネル）である。
【００３１】
制御部１６は、無線信号が検出されていないとの判定をしたときは、周波数チャネルＡ３において信号を送信する（Ｓ１１４）。具体的には、送信部１４の周波数チャネルをＡ３に設定し、周波数チャネルＡ３における信号を送信部１４に送信させる。ステップＳ１１４の送信については、ＡＲＩＢ  ＳＴＤ−Ｔ１０８において次のように規定されている。すなわち、無線信号を送信してから４ｓ以内にその送信を停止し、５０ｍｓを経過した後でなければその後の無線送信を行ってはならないと規定されている。制御部１６は、ＡＲＩＢ  ＳＴＤ−Ｔ１０８に従う時間ＴＰ２（５０ｍｓ）だけ送信を休止し（Ｓ１１５）、ステップＳ１０１の処理に戻る。次のステップＳ１０１の処理では、積算値Ｔｘとして、先のステップＳ１１４による送信時間が加算された値が新たに求められる。
【００３２】
制御部１６は、ステップＳ１１０において、無線信号が検出されたとの判定をしたときは、受信部２４の周波数チャネルＣＨを周波数チャネルＡ４に設定し（Ｓ１１１）、周波数チャネルＡ４において長時間キャリアセンスを行う（Ｓ１１２）。制御部１６は、受信信号の大きさが所定の閾値を超えたときは、周波数チャネルＡ４において無線信号が検出されたとの判定をし、受信信号の大きさが所定の閾値を超えなかったときは、周波数チャネルＡ４において無線信号が検出されていないとの判定をする（Ｓ１１３）。制御部１６は、無線信号が検出されていないとの判定をしたときは、周波数チャネルＡ４において信号を送信し（Ｓ１１４）、時間ＴＰ２だけ送信を休止した後（Ｓ１１５）、ステップＳ１０１の処理に戻る。次のステップＳ１０１の処理では、積算値Ｔｘとして、先のステップＳ１１４による送信時間が加算された値が新たに求められる。一方、制御部１６は、無線信号が検出されたとの判定をしたときは、送信処理を行うことなくステップＳ１０１の処理に戻る。
【００３３】
ここで、ＡＲＩＢ  ＳＴＤ−Ｔ１０８に従う場合、周波数チャネルＡ４は、単位チャネル番号が２４から３８までの周波数チャネルである。
【００３４】
このように、ステップＳ１０１およびＳ１０８〜Ｓ１１５の処理によれば、現時点から遡って監視時間ＴＡ内での送信時間の積算値Ｔｘが閾値時間ＴＨを超えるときは長時間キャリアセンスが実行される。そして、長時間キャリアセンスの対象となった周波数チャネルにおいて無線信号が検出されなかったときは、その長時間キャリアセンス・周波数チャネルにおいて信号の送信が行われる。長時間キャリアセンス・周波数チャネルにおける送信は、積算値Ｔｘが閾値時間ＴＨを超え、長時間キャリアセンス・周波数チャネルにおいて無線信号が検出されていない間、行われる（Ｓ１０１およびＳ１０８〜Ｓ１１５）。
【００３５】
各キャリアセンスにおいて無線信号が検出されない場合には、図２に示されるフローチャートに従い次のような処理が実行される。すなわち、積算値Ｔｘが閾値時間ＴＨ以下であるときは、短時間キャリアセンス・周波数チャネルにおける送信が行われる。この送信は、長時間キャリアセンス・周波数チャネルによる送信よりもキャリアセンスをすべき時間が短い。また、ＡＲＩＢ  ＳＴＤ−Ｔ１０８に従い、ステップＳ１１６における送信時間を２００ｍｓ以下に制限した場合には、送信を休止すべき時間は、長時間キャリアセンス・周波数チャネルによる送信よりも短い。したがって、この場合には、他の無線装置に対して優先的に送信処理を行うことができる。また、短時間キャリアセンス・周波数チャネルにおける送信が繰り返された場合、積算値Ｔｘは時間の経過と共に増加する。
【００３６】
短時間キャリアセンス・周波数チャネルにおける送信が繰り返され、積算値Ｔｘが閾値時間ＴＨを超えたときは、長時間キャリアセンス・周波数チャネルによる送信が行われる。この送信は、短時間キャリアセンス・周波数チャネルによる送信よりもキャリアセンスをすべき時間が長い。また、ＡＲＩＢ  ＳＴＤ−Ｔ１０８に従い、ステップＳ１１７における送信時間を２００ｍｓ以下に制限した場合には、送信を休止すべき時間は、短時間キャリアセンス・周波数チャネルによる送信よりも長い。したがって、長時間キャリアセンス・周波数チャネルにおける送信が繰り返されると、積算値Ｔｘは時間の経過と共に減少する。これによって、監視時間ＴＡ内での送信時間の積算値Ｔｘは、再び閾値時間ＴＨ以下となり、短時間キャリアセンス・周波数チャネルにおける送信が行われる。
【００３７】
このように、短時間キャリアセンス・周波数チャネルによる送信と、長時間キャリアセンス・周波数チャネルによる送信とでは、積算値Ｔｘの大きさの傾向が異なる。すなわち、短時間キャリアセンス・周波数チャネルによる送信の方が、長時間キャリアセンス・周波数チャネルによる送信よりも、時間経過と共に積算値Ｔｘが大きくなる傾向にある。したがって、図２に示されるフローチャートによれば、積算値Ｔｘの増減に応じて、短時間キャリアセンス・周波数チャネルにおける送信と、長時間キャリアセンス・周波数チャネルにおける送信とが交互に繰り返される。仮に短時間キャリアセンス・周波数チャネルによる送信のみを行った場合、積算値Ｔｘが閾値ＴＨを超えた場合には、積算値Ｔｘが再び閾値ＴＨ以下となるまで、送信を休止せざるを得ない。本実施形態に係る特定小電力無線装置１０によれば、短時間キャリアセンス・周波数チャネルにおける送信と、長時間キャリアセンス・周波数チャネルにおける送信とを組み合わせることによって、送信を休止すべき時間が短縮される。
【００３８】
ＡＲＩＢ  ＳＴＤ−Ｔ１０８に従う場合、周波数チャネルＡ１は、単位チャネル番号が３３から６１までの周波数チャネルであり、周波数チャネルＡ４は、単位チャネル番号が２４から３８までの周波数チャネルである。したがって、例えば、周波数チャネルＡ１およびＡ４を単位チャネル番号が３３から３８までの周波数チャネルとし、周波数チャネルＡ１およびＡ４を同一としてもよい。
【００３９】
また、本実施形態に係る特定小電力無線装置１０によれば、積算値Ｔｘが閾値時間ＴＨ以下であり、送信頻度が低い場合には短時間キャリアセンスが行われる。これによって、長時間キャリアセンスを行う他の無線装置に対し優先的に無線信号を送信することができる。また、積算値Ｔｘが閾値時間ＴＨを超え、送信頻度が高い場合には長時間キャリアセンスが行われ、他の無線装置に優先的に無線信号を送信させる。これによって、送信頻度が高いことによって、他の無線装置の送信周波数および送信時間を制限することが回避される。
【００４０】
なお、図２に示される処理では、周波数チャネルＡ１について無線信号が検出された場合に、周波数チャネルＡ２の無線信号を検出するというように、最大２つの周波数チャネルについてキャリアセンスが行われる。キャリアセンスは、３つ以上の周波数チャネルについて行うこととしてもよい。この場合、ステップＳ１０２〜Ｓ１０４、またはステップ１０５〜Ｓ１０７と同様の処理がステップＳ１０７の後に追加され、キャリアセンスの対象となる周波数チャネルが追加される。同様に、ステップＳ１０８〜Ｓ１１０、またはステップ１１１〜Ｓ１１３と同様の処理をステップＳ１１３の後に追加し、キャリアセンスの対象となる周波数チャネルを追加してもよい。また、ステップ１０５〜Ｓ１０７、またはステップ１１１〜Ｓ１１３を行わないフローとし、キャリアセンスの対象となる周波数チャネルを削減してもよい。
【００４１】
次に、特定小電力無線装置１０が信号を受信する処理について説明する。図３には、特定小電力無線装置１０が送信および受信する信号のパケットの例が示されている。パケットは、複数の第１ブロックＢ１と、１つの第２ブロックＢ２とを備える。図３の例では、パケットは８個の第１ブロックＢ１を備える。第１ブロックＢ１は、受信側の装置が同期処理を行うための同期情報、パケットの送信元を識別するための送信元ＩＤ、宛先を指定する宛先ＩＤ等を含む。第２ブロックＢ２は、パケットによって送信される実体的な情報を含む。
【００４２】
制御部１６は、所定のチャネルスキャン時間ごとに受信部２４の周波数チャネルを変更する。これによって受信部２４は、チャネルスキャン時間ごとに周波数チャネルを変更しながら、信号を受信可能な状態で待機する。チャネルスキャン時間は、例えば、第１ブロックＢ１の時間長の３倍とする。また、周波数チャネルは、Ａ１、Ａ２、Ａ３、Ａ４、Ａ１、Ａ２、・・・・・というように、４つの周波数チャネルに亘って巡回的に変更するものとする。
【００４３】
受信部２４に設定された周波数チャネルと、アンテナ１２で受信された信号の周波数チャネルとが一致した場合、受信部２４および制御部１６は、次のような処理を実行する。すなわち、受信部２４は、パケットが含まれる信号をアンテナ１２を介して受信すると、そのパケットが含まれる受信信号を制御部１６に出力する。制御部１６は、１つまたは複数の第１ブロックＢ１に基づいて同期処理を行い、宛先ＩＤに基づいてパケットが自らの特定小電力無線装置１０に宛てられたものであるか否かを判定する。制御部１６は、パケットが自らの特定小電力無線装置１０に宛てられたものであると判定すると、第２ブロックＢ２に含まれる情報を取得する。これによって、特定小電力無線装置１０は、自らに宛てられたパケットを受信することができる。
【符号の説明】
【００４４】
１０  特定小電力無線装置、１２  アンテナ、１４  送信部、１６  制御部、１８  送信時間積算部、２０  チャネル設定部、２２  キャリアセンス部、２４  受信部。
【図１】
2015119327.tif 000003
【図２】
2015119327.tif 000004
【図３】
2015119327.tif 000005